(57)【要約】【課題】  確実に照明機器の点灯／消灯を制御できる機器制御装置を提供する。【解決手段】  定刻時間制御ユニット１０は、明るさ入力手段３１によって入力した信号に基づいて明るさが低いと判定した場合に照明機器を点灯させると共に、計時手段によって計時された現在時刻が所定時刻となったと判定した場合に照明機器を消灯させる定刻時間制御によってオンとオフが制御されると共に、照明機器を点灯と消灯とで切り替えるリモコンリレーと接続され、定刻時間制御によってオンとオフとが切り替えられた時にリモコンリレーをオンとオフとで切り替える内蔵リレー３６と、リモコンリレーのオンオフ状態を検出するリモコンリレー状態検出回路６１とを備える。定刻時間制御ユニット１０は、リモコンリレー状態検出回路６１によって検出されたリモコンリレーのオンオフ状態と内蔵リレー３６の状態とを合致させるように、内蔵リレー３６のオンオフ状態を制御する。【選択図】      図９
2008130521.tif 000002
【特許請求の範囲】
【請求項１】
照明機器周辺の明るさを検知する明るさセンサと接続された明るさ入力手段と、
時間を計時する計時手段と、
前記明るさ入力手段によって入力した信号に基づいて明るさが低いと判定した場合に、前記照明機器を点灯させると共に、前記計時手段によって計時された現在時刻が所定時刻となったと判定した場合に前記照明機器を消灯させる定刻時間制御手段と、
前記定刻時間制御手段によってオンとオフが制御されると共に、前記照明機器を点灯と消灯とで切り替えるリモコンリレーと接続され、前記定刻時間制御手段によってオンとオフとが切り替えられた時に前記リモコンリレーをオンとオフとで切り替える内蔵リレーと、
前記リモコンリレーのオンオフ状態を検出するリモコンリレー状態検出回路とを備え、
前記定刻時間制御手段は、前記リモコンリレー状態検出回路によって検出された前記リモコンリレーのオンオフ状態と前記内蔵リレーの状態とを合致させるように、前記内蔵リレーのオンオフ状態を制御すること
を特徴とする機器制御装置。
【請求項２】
前記リモコンリレー状態検出回路は、前記内蔵リレーと前記リモコンリレーとの間の電流に応じて、前記リモコンリレーのオンオフ状態を検出することを特徴とする請求項１に記載の機器制御装置。
【請求項３】
前記リモコンリレー状態検出回路は、前記リモコンリレーの主接点と同じ状態となる補助接点と接続され、当該補助接点の状態を検出して前記リモコンリレーのオンオフ状態を検出することを特徴とする請求項１に記載の機器制御装置。
【発明の詳細な説明】
【技術分野】
【０００１】
本発明は、照明機器等の設備機器を応じてオン、オフ制御する機器制御装置に関する。
【背景技術】
【０００２】
従来より、遠隔からの操作入力によって、設備機器を制御するリモコンシステムが、下記の特許文献１などで知られている。このリモコンシステムは、例えば照明機器に付随した明るさセンサによって照明機器をオンオフ制御すると共に、照明機器の動作時間によって当該照明機器をオフ制御する定刻時間制御を行うユニット（定刻時間制御ユニット）を備えている。従来のリモコンシステムでは、明るさセンサによって照明機器周辺が暗くなったことを検知した場合に、定刻時間制御ユニットによって照明機器をオンとする制御をし、所定時刻となると照明機器をオフとする制御を行うものであった。
【特許文献１】特開２００６−３１１３３９号公報
【発明の開示】
【発明が解決しようとする課題】
【０００３】
しかしながら、上述のリモコンシステムは、明るさに応じて照明機器を点灯する制御や時間に応じて照明機器を消灯させる定刻時間制御の他に、壁に設けられたスイッチ操作によって照明機器の点灯／消灯を切り替えているために、実際に照明機器を点灯又は消灯させるリレー状態と、定刻時間制御ユニットにおける内蔵リレーの状態とが合致しない事態があった。このような事態が起こると、定刻時間制御ユニットによって照明機器の点灯／消灯を制御しようとしてもできないという問題がある。
【０００４】
そこで、本発明は、上述した実情に鑑みて提案されたものであり、確実に照明機器の点灯／消灯を制御できる機器制御装置を提供することを目的とする。
【課題を解決するための手段】
【０００５】
本発明に係る機器制御装置は、照明機器周辺の明るさを検知する明るさセンサと接続された明るさ入力手段と、時間を計時する計時手段と、明るさ入力手段によって入力した信号に基づいて明るさが低いと判定した場合に、照明機器を点灯させると共に、計時手段によって計時された現在時刻が所定時刻となったと判定した場合に照明機器を消灯させる定刻時間制御手段と、定刻時間制御手段によってオンとオフが制御されると共に、照明機器を点灯と消灯とで切り替えるリモコンリレーと接続され、定刻時間制御手段によってオンとオフとが切り替えられた時にリモコンリレーをオンとオフとで切り替える内蔵リレーと、リモコンリレーのオンオフ状態を検出するリモコンリレー状態検出回路とを備える。この機器制御装置において、上述の課題を解決するために、定刻時間制御手段は、リモコンリレー状態検出回路によって検出されたリモコンリレーのオンオフ状態と内蔵リレーの状態とを合致させるように、内蔵リレーのオンオフ状態を制御する。
【発明の効果】
【０００６】
本発明に係る機器制御装置よれば、リモコンリレー状態検出回路によって検出されたリモコンリレーのオンオフ状態と内蔵リレーの状態とを合致させるように、内蔵リレーのオンオフ状態を制御するので、リモコンリレー状態と内蔵リレー状態とが食い違っている場合であっても合致させて、内蔵リレーの制御によってリモコンリレーを確実に動作させることができ、確実に照明機器の点灯／消灯を制御できる。
【発明を実施するための最良の形態】
【０００７】
以下、本発明の実施の形態について図面を参照して説明する。
【０００８】
本発明に係る機器制御装置を適用した定刻時間制御ユニット１０は、例えば、図１に示すような外観構成であり、図２又は図３に示すようなリモコンシステムに備えられる。このリモコンシステムは、制御対象機器である負荷として、例えば照明機器である場合を示している。
【０００９】
定刻時間制御ユニット１０は、図１に示すように、本体正面に、液晶表示画面１、モード切替スイッチ２、時切替スイッチ３、分切替スイッチ４、及び運転切替スイッチ５が設けられている。また、定刻時間制御ユニット１０は、商用電源が接続される電源端子６、明るさセンサ端子７、出力端子８、及びスイッチ接続端子９が備えられている。
【００１０】
液晶表示画面１は、ユーザが定刻時間制御ユニット１０の設定を行うに際して各種情報を表示するための画面である。
【００１１】
モード切替スイッチ２は、定刻時間制御ユニット１０が通常動作を行う通常モードと、定刻時間制御ユニット１０の各種設定を行う設定モードとで切り替えるスイッチである。この設定モードにモード切替スイッチ２を切り替えることにより、現在時刻を設定する現在時刻設定、点灯時刻を設定する点灯時刻設定、消灯時刻を設定する消灯時刻設定が可能となる。
【００１２】
時切替スイッチ３及び分切替スイッチ４は、モード切替スイッチ２が設定モードに切り替えられた状態で操作される。時切替スイッチ３は、現在時刻、消灯時刻、点灯時刻の設定時において当該各時刻の「時」を切り替える。分切替スイッチ４は、現在時刻、消灯時刻、点灯時刻の設定時において当該各時刻の「分」を切り替える。
【００１３】
運転切替スイッチ５は、定刻時間制御ユニット１０を運転モード（定刻時間制御可能状態）と停止モード（定刻時間制御停止状態）との間で切り替える。なお、定刻時間制御ユニット１０の通常モードは、当該運転モードと停止モードとの双方を含む。定刻時間制御ユニット１０の運転モードは、明るさセンサ１１と接続された明るさセンサ端子７によって入力した明るさが低いと判定した場合に、照明機器を点灯させると共に、現在時刻が所定時刻となったと判定した場合に、照明機器を消灯させる定刻時間制御を行うモードである（定刻時間制御手段）。一方、定刻時間制御ユニット１０の停止モードは、明るさセンサ１１及び時計用発振回路２９からの入力に関わらず照明機器を点灯又は消灯させる制御を行わないモードである。
【００１４】
図２に示すリモコンシステムは、定刻時間制御ユニット１０の明るさセンサ端子７に明るさセンサ１１が接続され、出力端子８にリモコントランス１２及びリモコンリレー１３が接続され、スイッチ接続端子９にリモコンスイッチ１４が接続されている。リモコントランス１２は、定刻時間制御ユニット１０から遠隔した場所に設置されて定刻時間制御ユニット１０に交流２４Ｖの電力供給を行う。リモコンリレー１３は、定刻時間制御ユニット１０から遠隔した場所に設置され、定刻時間制御ユニット１０からの制御信号を入力して開閉動作を行う。リモコンリレー１３は、励磁コイル及び電気接点からなり、励磁コイルに電圧が印加される方向によって電気接点の開閉が制御される。
【００１５】
このリモコンシステムにおいて、定刻時間制御ユニット１０は、電源端子６を介して商用電源と接続されて商用電源で動作する。また、リモコントランス１２は、接続されている商用電源を交流２４Ｖに変換して定刻時間制御ユニット１０を介してリモコンスイッチ１４及びリモコンリレー１３に電力供給をする。リモコンスイッチ１４は、交流２４Ｖで動作する負荷制御用スイッチであって、例えば照明機器が設けられた室内壁面に設けられた照明機器の点灯／消灯用のスイッチである。リモコンリレー１３は、リモコンスイッチ１４の操作や明るさセンサ１１からの出力に基づいて、定刻時間制御ユニット１０からのオンオフの制御信号が供給されて、開閉動作し、照明機器（負荷）への電源をオンオフする。
【００１６】
図３に示すリモコンシステムは、出力端子８に商用電源及びリモコンブレーカー１５が接続されている。このリモコンシステムは、図２に示すリモコンシステムとは異なり、交流１００Ｖの商用電源が出力端子８に接続されて、当該商用電源をリモコンスイッチ１４’及びリモコンブレーカー１５に供給する。このリモコンスイッチ１４’は、商用電源で動作するように構成されている。リモコンブレーカー１５は、定刻時間制御ユニット１０を介して供給される電流値が所定値を超えた場合に遮断する。
【００１７】
このリモコンシステムは、図２又は図３に示した何れであっても良いが、以下では、図２のリモコンシステムを参照して説明する。
【００１８】
このようなリモコンシステムにおける定刻時間制御ユニット１０は、その機能的な構成を図４に示すように、マイクロコンピュータ２１に、モード切替スイッチ入力回路２２，運転切替スイッチ入力回路２３，時切替スイッチ入力回路２４，分切替スイッチ入力回路２５，ＥＥＰＲＯＭ（Electrically Erasable and Programmable Read Only Memory）２６，リセット回路２７，発振回路２８，時計用発振回路２９，液晶表示部３０が接続されている。
【００１９】
モード切替スイッチ入力回路２２は、モード切替スイッチ２と接続されて、モード切替スイッチ２の操作を検出する。モード切替スイッチ入力回路２２によって検出されたモード切替スイッチ２の切替操作は、マイクロコンピュータ２１で検知されて、マイクロコンピュータ２１によって、現在のモードが通常モードか設定モードかが認識される。
【００２０】
運転切替スイッチ入力回路２３は、運転切替スイッチ５と接続されて、運転切替スイッチ５の操作を検出する。運転切替スイッチ入力回路２３によって検出された運転切替スイッチ５の切替操作は、マイクロコンピュータ２１で検知されて、マイクロコンピュータ２１によって、定刻時間制御ユニット１０の現在のモードが運転モードか停止モードかが認識される。
【００２１】
時切替スイッチ入力回路２４は、時切替スイッチ３と接続され、時切替スイッチ３の操作を検出する。時切替スイッチ入力回路２４によって検出された時切替スイッチ３の操作は、マイクロコンピュータ２１で検知されて、マイクロコンピュータ２１によって、設定モードであると認識されている場合において、内部の「時」の設定を変更する。
【００２２】
分切替スイッチ入力回路２５は、分切替スイッチ４と接続され、分切替スイッチ４の操作を検出する。分切替スイッチ入力回路２５によって検出された分切替スイッチ４の操作は、マイクロコンピュータ２１で検知されて、マイクロコンピュータ２１によって、設定モードであると認識されている場合において、内部の「分」の設定を変更する。
【００２３】
ＥＥＰＲＯＭ２６は、マイクロコンピュータ２１が動作する各種の設定データが格納される。ＥＥＰＲＯＭ２６に記憶されている設定データとしては、制御対象となる複数の照明機器のＩＤ、現在のモードが通常モードの運転モードであるか通常モードの停止モードであるかのフラグなどが挙げられる。
【００２４】
リセット回路２７は、ＥＥＰＲＯＭ２６に記憶された設定データを初期値に戻す設定動作をするために設けられる。このリセット回路２７は、図示しないリセット用の操作部と接続され、当該リセット用の操作部が操作されたことを検出したことに応じて、マイクロコンピュータ２１によってＥＥＰＲＯＭ２６に記憶されている設定データを初期値にリセットさせる。
【００２５】
発振回路２８は、通常モードにおける運転モードにおいて、照明機器を点灯させた後の経過時間を計時する（計時手段）。発振回路２８は、マイクロコンピュータ２１の制御に従って、計時を開始し、当該計時している値がマイクロコンピュータ２１によって読み取られる。
【００２６】
時計用発振回路２９は、定刻時間制御ユニット１０における時計機能用の発振回路である。この時計用発振回路２９は、定刻時間制御ユニット１０によって予め設定された時刻で照明機器を点灯させる動作や、予め設定された時刻で照明機器を消灯させる動作を行うために、マイクロコンピュータ２１で読み込まれる。例えば午前９：００に照明機器を点灯させ、午後６：００に照明機器を消灯させることがＥＥＰＲＯＭ２６の設定データとして登録されている場合に、マイクロコンピュータ２１によって当該点灯時刻、消灯時刻と時計用発振回路２９の計時時刻とが比較される。
【００２７】
液晶表示部３０は、液晶表示画面１に各種情報を表示させる。この液晶表示部３０に表示される内容としては、ＥＥＰＲＯＭ２６に記憶する設定データの変更時や時計時刻の変更時などが挙げられ、液晶表示部３０は、当該設定変更内容を表示させる。
【００２８】
ブリッジ回路３２は、出力端子８を介して交流１００Ｖの商用電源が接続されて、全波整流して電源回路３３に供給する。
【００２９】
電源回路３３は、ブリッジ回路３２を介して供給された電力から低電圧のマイクロコンピュータ２１用電源、及び、定刻時間制御ユニット１０を構成する他の回路への電源を生成する。
【００３０】
電源電圧検出回路３４は、出力端子８及びブリッジ回路３２を介して商用電源から電源回路３３に供給されている電源電圧値を検出して、マイクロコンピュータ２１に供給する。電源電圧検出回路３４は、停電等によって電源回路３３からの信号が供給されなくなった場合、マイクロコンピュータ２１に検知される。これに応じ、マイクロコンピュータ２１は、消費電力を低減するウエイトモードとなり、時計用発振回路２９で計時している現在時刻をＥＥＰＲＯＭ２６にバックアップする。
【００３１】
バックアップ電源回路３５は、例えば内部コンデンサ等からなる。停電時に電源回路３３からマイクロコンピュータ２１及び他の回路に電源供給ができなくなった場合に、マイクロコンピュータ２１によって現在時刻等をバックアップするための電力を供給する。停電時にバックアップ電源回路３５からマイクロコンピュータ２１に供給する電力は、通常時よりも消費電力を低くするために低電源電圧とする。
【００３２】
明るさセンサ検出回路３１は、明るさセンサ端子７を介して供給される明るさセンサ１１からの出力を検出する。明るさセンサ１１の周囲が明るい場合には、明るさセンサ検出回路３１は、明るさセンサ１１からの商用電源が検出でき、明るさセンサ１１の周囲が明るくなく暗い場合には、明るさセンサ検出回路３１は、明るさセンサ１１からの商用電源が検出できない。これにより、マイクロコンピュータ２１は、明るさセンサ１１から明るさセンサ検出回路３１への信号の有無によって照明機器の周辺が明るいか暗いかを判定する。
【００３３】
ワンパルス出力回路３６は、内蔵リレーを備え、マイクロコンピュータ２１からのＯＮ／ＯＦＦ出力により内蔵リレーを動作させて、リモコンリレー１３を駆動させるための電流パルスを発生させる。この内蔵リレーは、例えば３点式リレーとなっており、マイクロコンピュータ２１からのオン出力によって所定方向に電圧印加をする状態となり、マイクロコンピュータ２１からのオフ出力によって所定方向とは逆方向に電圧印加する状態となる。
【００３４】
このワンパルス出力回路３６は、マイクロコンピュータ２１の制御信号に基づいてリモコンリレー１３を閉状態にして照明機器を点灯させる場合と、マイクロコンピュータ２１の制御信号に基づいてリモコンリレー１３を開状態にして照明機器を消灯させる場合とで、逆方向の電流の向きの出力をリモコンリレー１３に供給する。これにより、マイクロコンピュータ２１は、照明機器の点灯／消灯の制御を実現する。なお、図３のようなリモコンシステムにおいては、ワンパルス出力回路３６にリモコンブレーカー１５が接続されていることになる。
【００３５】
定刻時間制御ユニット１０は、リモコンスイッチ１４が操作されると、当該リモコンスイッチ１４の制御信号を内部で接続されているリモコンリレー１３への出力端子である出力端子８に出力する。この構成により、定刻時間制御ユニット１０は、時間又は明るさによって照明機器を点灯又は消灯させる制御と、リモコンスイッチ１４の操作によって照明機器を点灯又は消灯させる動作とを実現している。
【００３６】
このようなリモコンシステムにおいて、定刻時間制御ユニット１０のマイクロコンピュータ２１は、図５に示すような処理を行うことにより、照明機器の点灯／消灯の制御を行う。
【００３７】
マイクロコンピュータ２１は、通常モード時において、先ず、ステップＳ１で、運転切替スイッチ５の状態を運転切替スイッチ入力回路２３を介して検知し、現在のモードが運転モードである場合にはステップＳ２に処理を進め、現在のモードが停止モードである場合には処理を終了する。
【００３８】
ステップＳ２において、マイクロコンピュータ２１は、ＥＥＰＲＯＭ２６に記憶された所定時刻に点灯又は消灯を行う時間制御をするか否かを判定して、時間制御を行う場合には、ステップＳ４に処理を進め、時間制御を行わない場合にはステップＳ３に処理を進める。
【００３９】
ステップＳ３において、マイクロコンピュータ２１は、明るさセンサ１１から明るさセンサ検出回路３１への信号の有無を判定して、明るさセンサ１１周辺において明るさの変化があるか否かを判定し、明るさの変化がないと判定した場合には処理を終了し、明るさの変化があると判定した場合にはステップＳ４に処理を進める。
【００４０】
ステップＳ４において、マイクロコンピュータ２１は、照明機器を点灯に制御するか、照明機器を消灯に制御するかを判定する。ステップＳ２において時間制御によって照明機器を点灯させると判定した場合、又は、ステップＳ３において明るさセンサ１１周辺が暗くなったと判定した場合には、ステップＳ５に処理を進めて、ワンパルス出力回路３６によってリモコンリレー１３を閉動作させて、照明機器を点灯させる。一方、ステップＳ２において時間制御によって照明機器を消灯に制御する場合、又は、ステップＳ３において明るさセンサ１１周辺が明るくなったと判定した場合には、ステップＳ６に処理を進めて、ワンパルス出力回路３６によってリモコンリレー１３を開動作させて、照明機器を消灯させる。
【００４１】
以上説明したように、本発明を適用した定刻時間制御ユニット１０によれば、運転モードと停止モードとの切替ができる運転切替スイッチ５を備え、運転切替スイッチ５が運転モードである場合には照明機器を点灯又は消灯させる制御を行い、運転切替スイッチ５が停止モードである場合に照明機器を点灯又は消灯させる制御を行わないようにしたので、明るさ、時間入力があった際に定刻時間制御の実行、停止を簡単に制御できる。例えば、定刻時間制御が行える照明機器を備えていても、休日等で定刻時間制御を行いたくない場合には、運転切替スイッチ５を停止モードに切り替えておけば良い。
【００４２】
つぎに、本発明を適用した他の定刻時間制御ユニット１０について説明する。
【００４３】
この定刻時間制御ユニット１０は、図６に示すように、本体正面に制御切替スイッチ４１を備える点で上述した定刻時間制御ユニット１０とは異なる。この制御切替スイッチ４１は、上述した定刻時間制御によって照明機器の点灯／消灯の制御を行う標準制御モードと、明るさセンサ１１の出力と時間とのアンド演算により照明機器の点灯／消灯の制御を行うアンド制御モードとで制御方法の切替を行う。
【００４４】
標準制御モードにおいては、上述したように、所定時刻に照明機器を点灯又は消灯する制御、明るさセンサ１１の出力によって照明機器の点灯／消灯の制御を行う。
【００４５】
アンド制御モードは、図７に示す制御切替スイッチ入力回路５１によって制御切替スイッチ４１の操作が「アンド制御モード」とされた場合に、マイクロコンピュータ２１によって実行される。マイクロコンピュータ２１は、アンド制御モード時においては、時間制御によって照明機器の点灯／消灯の制御し且つ明るさセンサ１１の出力によって照明機器の点灯／消灯の制御する必要がある場合に、照明機器の点灯／消灯の制御を行う。
【００４６】
このような定刻時間制御ユニット１０のマイクロコンピュータ２１は、図８に示すように、上述と同様にステップＳ１及びステップＳ２の処理を行い、ステップＳ２において時間制御によって照明機器の点灯／消灯の制御を行う場合に、ステップＳ１１に処理を進める。
【００４７】
ステップＳ１１において、マイクロコンピュータ２１は、時間制御によって照明機器を点灯とする場合に明るさセンサ１１の出力によって明るさセンサ１１周辺において明るさが暗いか否かの判定と、時間制御によって照明機器を消灯とする場合に明るさセンサ１１の出力によって明るさセンサ１１周辺において明るさが明るいか否かの判定を行う。そして、マイクロコンピュータ２１によって何れかの判定を行って、定判定をした場合には処理を終了し、双方ともに肯定判定をした場合にはステップＳ４に処理を進める。ステップＳ４以降においては、上述したステップＳ５及びステップＳ６ように、時間及び明るさのアンド結果に従って、ワンパルス出力回路３６及びリモコンブレーカー１５を制御して、照明機器の点灯／消灯の制御する。
【００４８】
このようなリモコンシステムによれば、時間によって照明機器を点灯又は消灯する判定結果と、明るさによって照明機器を点灯又は消灯する判定結果とを得て、双方の判定結果がオン又は双方の判定結果がオフとなった場合にのみ、照明機器の点灯／消灯の制御を行う。これにより、例えば、夕方から営業を行うために照明機器を点灯させる店舗などで、暗くなったら看板等の照明機器を点灯させたいが営業前には点灯させたくない場合であっても、照明機器の周辺が暗くなり且つ営業開始時間となった時に照明機器を消灯から点灯に切り替えることができる。
【００４９】
また、このリモコンシステムによれば、時間と明るさの双方の判定結果が双方にオン又はオフとなった時に照明機器の点灯／消灯の制御する構成として、時間に基づいて開閉するリレーと明るさに基づいて開閉するリレーとを直列接続するなどの構成とする必要なく、単一のリモコンリレー１３を備えるのみで良く、リモコンシステムの構成を簡略化できる。
【００５０】
つぎに、本発明を適用した他の定刻時間制御ユニット１０について説明する。
【００５１】
この定刻時間制御ユニット１０は、図９に示すように、ワンパルス出力回路３６によってリモコンリレー１３を制御する制御線に接続されたリモコンリレー状態検出回路６１を備える点で、上述したリモコンシステムとは異なる。このリモコンリレー状態検出回路６１は、制御線の電圧方向を検出して、当該電圧方向により現状のリモコンリレー１３の状態を検出する。
【００５２】
リモコンリレー状態検出回路６１は、電源端子６１ａと、電源端子６１ａに直列接続された抵抗Ｒ１と、当該抵抗Ｒ１と接地端子６１ｅとの間に設けられたフォトトランジスタ６１ｄと、当該フォトトランジスタ６１ｄとでフォトカプラ６１ｂを構成する発光ダイオード６１ｃと、抵抗Ｒ２とを備える。抵抗Ｒ２及び発光ダイオード６１ｃは、制御線に接続されている。また、抵抗Ｒ１とフォトトランジスタ６１ｄとの接続線は、リモコンリレー状態入力用として、マイクロコンピュータ２１に接続されている。
【００５３】
このようなリモコンリレー状態検出回路６１は、例えば所定の電圧方向である場合には、発光ダイオード６１ｃが発光してフォトカプラ６１ｂを導通状態にして、電源端子６１ａと接地端子６１ｅ間の電圧をマイクロコンピュータ２１で検出させる。一方、リモコンリレー状態検出回路６１は、所定の電圧方向とは逆の電圧方向である場合には、発光ダイオード６１ｃが発光せずにフォトトランジスタ６１ｄが遮断状態となり、電源端子６１ａと接地端子６１ｅとの間の電圧がマイクロコンピュータ２１で検知されない。これにより、マイクロコンピュータ２１は、リモコンリレー状態検出回路６１における電圧の有無によって制御線における電圧方向を検出し、リモコンリレー１３の開閉状態を検知する。
【００５４】
このようなリモコンシステムの動作例として、図１０にタイミングチャートを示す。図１０は、図１０（Ａ）として定刻時間制御ユニット１０の内部動作を示し、図１０（Ｂ）として定刻時間制御ユニット１０外部の動作を示している。
【００５５】
マイクロコンピュータ２１は、時刻ｔ１にて、明るさセンサ１１からの信号に基づいて明るさセンサ検出回路３１を介して、明るさセンサ１１周辺の明るさが暗くなったことを検知すると（図１０（Ａ）（ａ））、時刻ｔ２にて、ワンパルス出力回路３６の内蔵リレーをオンにして、リモコンリレー１３をオンに制御する（図１０（Ａ）（ｂ），（ｄ），（ｅ）、（Ｂ）（ｂ））。この状態では、ワンパルス出力回路３６とリモコンリレー１３とを接続する制御線に、フォトトランジスタ６１ｄをオンとする電圧方向の電圧を印加させる。
【００５６】
これにより、マイクロコンピュータ２１は、内部でのリモコンリレー１３の制御結果をオンとすると共に（図１０（Ａ）（ｄ））、ワンパルス出力回路３６の内部リレーの状態がオンであることを検知する（図１０（Ａ）（ｅ））。この状態においては、リモコンリレー１３がオンとなっている制御結果、ワンパルス出力回路３６の内蔵リレーがオンとなっている状態であり、双方の状態が合致している。
【００５７】
次に、時刻ｔ３にてリモコンスイッチ１４がユーザに操作されると（図１０（Ｂ）（ａ））、時刻ｔ４にて、リモコンリレー１３をオフとなり（図１０（Ａ）（ｄ））、リモコンリレー１３がオフとなる（図１０（Ｂ）（ｂ））。
【００５８】
しかし、時刻ｔ４以降においては、リモコンスイッチ１４の操作によってリモコンリレー１３がオフとなったにも関わらず、ワンパルス出力回路３６の内蔵リレーがオフとはなっていないために、リモコンリレー１３の制御結果（図１０（Ａ）（ｄ））と、ワンパルス出力回路３６の内蔵リレーの状態（図１０（Ａ）（ｅ））とが食い違っている。マイクロコンピュータ２１は、ワンパルス出力回路３６の内蔵リレーの状態とリモコンリレー１３の状態とを合致させるために、照明機器を点灯させる時刻である時刻ｔ５となると、先ずワンパルス出力回路３６の内蔵リレーを一旦オフに反転させる（図１０（Ａ）（ｃ））。
【００５９】
これにより、時刻ｔ６にて、ワンパルス出力回路３６の内蔵リレーはオフとなる（図１０（Ａ）（ｅ））。この時刻ｔ６の時点では、リモコンリレー１３は、リモコンスイッチ１４の操作によってオフの状態であるので、リモコンリレー１３のオフの状態は維持される。これにより、マイクロコンピュータ２１で認識しているリモコンリレー１３の制御結果（図１０（Ａ）（ｄ））と、ワンパルス出力回路３６の内蔵リレーの状態（図１０（Ａ）（ｅ））とを合致させる。
【００６０】
次の時刻ｔ７にて、マイクロコンピュータ２１は、ワンパルス出力回路３６の内蔵リレーをオンとする信号を出力し（図１０（Ａ）（ｂ））、ワンパルス出力回路３６の内蔵リレーをオンに制御し、リモコンリレー１３をオンに動作させる。なお、図１０の説明において、オンオフが逆になる場合も同様の動作となる。
【００６１】
このような定刻時間制御ユニット１０によれば、リモコンリレー１３の状態を検出するリモコンリレー状態検出回路６１を設け、リモコンリレー１３の状態と、ワンパルス出力回路３６の内蔵リレーの状態とが合致していない場合には、一旦ワンパルス出力回路３６の内蔵リレーの状態を反転させてからリモコンリレー１３の制御を行う。これにより、リモコンリレー１３の状態がどのようになっていても、定刻時間制御ユニット１０によるリモコンリレー１３の制御が可能となる。
【００６２】
定刻時間制御ユニット１０は、ワンパルス出力回路３６の内蔵リレーを切り替えることにより短パルスの出力をするように構成されているが、短パルスを出力した後に、リモコンスイッチ１４によってリモコンリレー１３を制御して照明機器を点灯又は消灯を切り替えると、リモコンリレー１３の状態とワンパルス出力回路３６の内蔵リレーとの状態が合致しなくなる。これは、図９に示すように、定刻時間制御ユニット１０のスイッチ接続端子９及び出力端子８のみを介してリモコンスイッチ１４の操作によってリモコンリレー１３を制御するように構成されているためである。この状態では、定刻時間制御ユニット１０によって時間又は明るさに基づいてワンパルス出力回路３６の内蔵リレーを切り替えてもリモコンリレー１３が動作しないことがある。本発明に係る定刻時間制御ユニット１０によればこのような問題を解決できる。
【００６３】
ここで、リモコンリレー状態検出回路６１を備えない比較例である定刻時間制御ユニットでは、図１１に示すように、時刻ｔ２でワンパルス出力回路の内蔵リレーを制御することによってリモコンリレーがオンとなった状態で、時刻ｔ３でリモコンスイッチ１４が操作されて時刻ｔ４でリモコンリレー１３がオフとなっても、ワンパルス出力回路の内蔵リレーがオフとはならない。そして、時刻ｔ５における所定時刻にて照明機器を点灯させるために、ワンパルス出力回路の内蔵リレーをオンに制御しても、内蔵リレーによるパルスが変化せずにリモコンリレーが動作しない事態となる。
【００６４】
また、図１１に示すように、時刻ｔ１１にてワンパルス出力回路の内蔵リレーをオフとし、その後にリモコンスイッチの操作によってリモコンリレーがオンとなっても、ワンパルス出力回路の内蔵リレーはオンとなっていないために、定刻時間制御によって時刻ｔ１３で照明機器を消灯させることができない。
【００６５】
つぎに、本発明を適用した他の定刻時間制御ユニット１０について説明する。
【００６６】
この定刻時間制御ユニット１０は、図１２に示すリモコンリレー補助接点接続端子７１と、図１３に示すリモコンリレー補助接点接続端子７１及びマイクロコンピュータ２１と接続されたリモコンリレー状態検出回路８１とを備える点で、上述した定刻時間制御ユニット１０とは異なる。なお、この定刻時間制御ユニット１０は、リモコンリレー状態検出回路６１を備えていない。
【００６７】
リモコンリレー補助接点接続端子７１は、リモコンリレー１３の補助接点と接続されている。リモコンリレー１３の補助接点は、当該リモコンリレー１３の主接点のオンオフ状態と同じ状態となる接点である。したがって、リモコンリレー補助接点接続端子７１には、リモコンリレー１３の主接点のオンオフ状態を示す信号が供給されることになる。
【００６８】
リモコンリレー状態検出回路８１は、リモコンリレー補助接点接続端子７１への信号を検出して、リモコンリレー１３のオンオフ状態を検出する。このリモコンリレー状態検出回路８１によって検出されたオンオフ状態は、マイクロコンピュータ２１によって読み込まれる。
【００６９】
マイクロコンピュータ２１は、リモコンリレー状態検出回路８１によってリモコンリレー１３のオンオフ状態を読み込み、当該リモコンリレー１３のオンオフ状態に応じてワンパルス出力回路３６の内蔵リレーの状態を切り替える。例えば、リモコンスイッチ１４の操作によってリモコンリレー１３がオフからオンに切り替えられた場合には、ワンパルス出力回路３６の内蔵リレーの状態もオンに切り替える。
【００７０】
これにより、定刻時間制御ユニット１０は、リモコンリレー１３のオンオフ状態とワンパルス出力回路３６の内蔵リレーのオンオフ状態とを常に合致させることができる。また、リモコンリレー１３への電圧方向を検知するために制御線にリモコンリレー状態検出回路６１を設けて電流方向を検知しておりリモコンリレー１３の接続台数が制限されていたが、この定刻時間制御ユニット１０によれば、リモコンリレー１３の補助接点と接続したので、リモコンリレー１３の接続台数を多くできる。
【００７１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００７２】
【図１】本発明を適用した定刻時間制御ユニットの外観構成を示す正面図である。
【図２】本発明を適用した定刻時間制御ユニットを備えたリモコンシステムの構成を示すブロック図である。
【図３】本発明を適用した定刻時間制御ユニットを備えた他のリモコンシステムの構成を示すブロック図である。
【図４】本発明を適用した定刻時間制御ユニットのブロック図である。
【図５】本発明を適用した定刻時間制御ユニットの動作手順を示すフローチャートである。
【図６】本発明を適用した他の定刻時間制御ユニットの外観構成を示す正面図である。
【図７】本発明を適用した他の定刻時間制御ユニットのブロック図である。
【図８】本発明を適用した他の定刻時間制御ユニットの動作手順を示すフローチャートである。
【図９】本発明を適用した他の定刻時間制御ユニットのブロック図である。
【図１０】本発明を適用した他の定刻時間制御ユニットを有するリモコンシステムの動作手順をタイミングチャートである。
【図１１】本発明を適用した他の定刻時間制御ユニットの比較例を示すタイミングチャートである。
【図１２】本発明を適用した他の定刻時間制御ユニットの外観構成を示す正面図である。
【図１３】本発明を適用した他の定刻時間制御ユニットのブロック図である。
【符号の説明】
【００７３】
１  液晶表示画面
２  モード切替スイッチ
３  時切替スイッチ
４  分切替スイッチ
５  運転切替スイッチ
６  電源端子
７  センサ端子
８  出力端子
９  スイッチ接続端子
１０  定刻時間制御ユニット
１１  明るさセンサ
１２  リモコントランス
１３  リモコンリレー
１４  リモコンスイッチ
１５  リモコンブレーカー
２１  マイクロコンピュータ
２２  モード切替スイッチ入力回路
２３  運転切替スイッチ入力回路
２４  時切替スイッチ入力回路
２５  分切替スイッチ入力回路
２６  ＥＥＰＲＯＭ
２７  リセット回路
２８  発振回路
２９  時計用発振回路
３０  液晶表示部
３１  センサ検出回路
３２  ブリッジ回路
３３  電源回路
３４  電源電圧検出回路
３５  バックアップ電源回路
３６  ワンパルス出力回路
４１  制御切替スイッチ
５１  制御切替スイッチ入力回路
６１  リモコンリレー状態検出回路
６１ａ  電源端子
６１ｂ  フォトカプラ
６１ｃ  発光ダイオード
６１ｄ  フォトトランジスタ
６１ｅ  接地端子
７１  リモコンリレー補助接点接続端子
８１  リモコンリレー状態検出回路
【図１】
2008130521.tif 000003
【図２】
2008130521.tif 000004
【図３】
2008130521.tif 000005
【図４】
2008130521.tif 000006
【図５】
2008130521.tif 000007
【図６】
2008130521.tif 000008
【図７】
2008130521.tif 000009
【図８】
2008130521.tif 000010
【図９】
2008130521.tif 000011
【図１０】
2008130521.tif 000012
【図１１】
2008130521.tif 000013
【図１２】
2008130521.tif 000014
【図１３】
2008130521.tif 000015